(57)【特許請求の範囲】
【請求項１】
個人の振舞いを変えさせるためのシステムであって、
各々が個人の体と接触する関係に配置されると該個人の１またはそれ以上の生理学的パラメータを示すデータを発生する複数のセンサー装置と、
個人の１またはそれ以上の生理学的パラメータを示す前記データを各センサー装置から、該センサー装置から離れたところにある中央モニターユニットへ送信する手段と、
個人の生活活動データを中央モニターユニットへ提供する手段とより成り、
各センサー装置及び中央モニターユニットのうちのいずれかは、個人の１またはそれ以上の生理学的パラメータを示す前記データ及び前記生活活動データのうちの少なくとも１つから導出データを発生するように構成されており、
中央モニターユニットは、
前記複数のセンサー装置から、各センサー装置に関連する各個人の１またはそれ以上の生理学的パラメータを示す前記データを受信し、
各個人の１またはそれ以上の生理学的パラメータを示す前記データ及び前記生活活動データの少なくとも１つから発生させた、各個人が予め設定した１またはそれ以上の目標を達成した度合いに関するフィードバックを受け手に提供し、
複数の個人から中央モニターユニットへ送信され、提供された、各個人の１またはそれ以上の生理学的パラメータを示す前記データ及び前記生活活動データと、前記導出データとを蓄積し、総計して、蓄積総計した複数の個人からのデータに基づく出力を前記受け手に提供するように構成されていることを特徴とする個人の振舞いを変えるためのシステム。
【請求項２】
前記導出データは個人のカロリー摂取量及び消費量の目標値より成る請求項１のシステム。
【請求項３】
前記導出データは個人のカロリー摂取量及び消費量の目標値より成り、前記生活活動データは個人のカロリー摂取に関する情報より成る請求項２のシステム。
【請求項４】
前記生活活動データは個人が食べる食物に関する情報より成る請求項３のシステム。
【請求項５】
前記各センサー装置はさらにプロセッサを有し、プロセッサは個人の少なくとも第１及び第２の生理学的パラメータを示すデータを発生する２つの生理学的センサーと電気通信関係にあり、プロセッサは少なくとも第１及び第２の生理学的パラメータを示すデータの少なくとも一部から前記導出データを発生するように構成されている前記請求項のうち任意の一項のシステム。
【請求項６】
前記導出データは前記２つの生理学的センサーのうちの何れによっても直接に測定できない個人の第３の生理学的パラメータである請求項５のシステム。
【請求項７】
前記２つの生理学的センサーは、運動を示すデータを発生する加速度計、電流に対する個人の皮膚の抵抗を示すデータを発生するＧＳＲ、熱流を示すデータを発生する熱束センサー、個人の皮膚の温度を示すデータを発生する皮膚温度センサー、個人の心拍数を示すデータを発生する心拍数センサーより成る群から選択され、少なくとも第１及び第２の生理学的パラメータを示す前記データは運動を示すデータ、個人の皮膚の抵抗を示すデータ、熱流を示すデータ、個人の皮膚の温度を示すデータ、個人の心拍数を示すデータのうちの少なくとも２つより成る請求項５または6のシステム。
【請求項８】
センサー装置はさらに、個人に関連する１またはそれ以上のコンテキストパラメータを示すデータを発生し、前記導出データは１またはそれ以上のコンテキストパラメータを示すデータの選択された部分から発生される請求項１乃至４のうち任意の一項のシステム。
【請求項９】
１またはそれ以上のコンテキストパラメータを示す前記データは周囲温度である請求項８のシステム。
【請求項１０】
さらに、プロセッサと電気通信関係にある１またはそれ以上のコンテキストセンサーを具備し、１またはそれ以上のコンテキストセンサーは個人に関連する１またはそれ以上のコンテキストパラメータを示すデータを発生するように構成されており、前記導出データもまた１またはそれ以上のコンテキストパラメータを示すデータの選択された部分から発生される請求項５乃至７のうち任意の請求項の一項のシステム。
【請求項１１】
前記１またはそれ以上のコンテキストセンサーは周囲温度センサーより成り、１またはそれ以上のコンテキストパラメータを示す前記データは周囲温度である請求項１０のシステム。
【請求項１２】
前記予め設定した１またはそれ以上の目標は個人が完了した最初の調査に基く前記請求項のうち任意の一項のシステム。
【請求項１３】
前記予め設定した１またはそれ以上の目標はその後個人が完了した調査に基き変更される請求項１２のシステム。
【請求項１４】
前記フィードバックは前記予め設定した１またはそれ以上の目標を達成するための１またはそれ以上のアドバイスより成る前記請求項のうち任意の一項のシステム。
【請求項１５】
前記中央モニターユニットは、個人の１またはそれ以上の生理学的パラメータを示すデータ、前記導出データ及び前記生活活動データを取り出し自在に記憶するためのデータ記憶装置を含む前記請求項のうち任意の一項のシステム。
【請求項１６】
前記中央モニターユニットは、個人の１またはそれ以上の生理学的パラメータを示すデータの少なくとも一部から導出データを発生させる請求項１５のシステム。
【請求項１７】
前記予め設定した１またはそれ以上の目標は複数のカテゴリーより成る前記請求項のうち任意の一項のシステム。
【請求項１８】
前記フィードバックは各カテゴリーに関して発生され、送られる請求項１７のシステム。
【請求項１９】
前記カテゴリーは栄養、活動レベル、精神集中、睡眠及び毎日の活動のうちの２つまたはそれ以上を含む請求項１８のシステム。
【請求項２０】
前記フィードバックの少なくとも一部はグラフィック形式である請求項１８または１９のシステム。
【請求項２１】
前記中央モニターユニットは、前記フィードバックを含む１またはそれ以上のウェブページを発生するように構成されており、前記ウェブページはインターネットを介して受け手によりアクセス可能である前記請求項のうち任意の一項のシステム。
【請求項２２】
前記フィードバックを電子的ネットワークを介して受け手に送信する手段をさらに備えた請求項５または１０のシステム。
【請求項２３】
生活活動データを提供する前記手段は、個人が生活活動データを入力しそのデータを中央モニターユニットへ送信するのを可能にする手段より成る前記請求項のうち任意の一項のシステム。
【請求項２４】
生活活動データを提供する前記手段は、個人が生活活動データを入力するのを可能にする入力装置より成り、入力装置は生活活動データを中央モニターユニットへ送信するように構成されている前記請求項のうち任意の一項のシステム。
【請求項２５】
受け手は前記個人または個人により許可された第三者である前記請求項のうち任意の一項のシステム。
【請求項２６】
前記予め設定した１またはそれ以上の目標は、前記中央モニターユニット、前記個人、前記個人により許可された第三者または前記個人により許可された第三者と協働する前記個人により変更される前記請求項のうち任意の一項のシステム。
【請求項２７】
前記予め設定した１またはそれ以上の目標は、前記中央モニターユニットが受信する、個人の１またはそれ以上の生理学的パラメータを示すデータ、前記導出データ及び個人の生活活動データのうち少なくとも１つの少なくとも一部に基き変更される請求項２６のシステム。
【請求項２８】
前記プロセッサは前記フィードバック送信手段に前記個人の１またはそれ以上の生理学的パラメータを示すデータを前記導出データと関連させて表示させるように構成されている請求項２２のシステム。
【請求項２９】
前記プロセッサは前記フィードバック送信手段に前記個人の１またはそれ以上の生理学的パラメータを示すデータ及び前記導出データを前記個人及び他の個人の総計し蓄積された１またはそれ以上の生理学的パラメータを示すデータ及び導出データと関連させて表示させるように構成されている請求項２２のシステム。
【発明の詳細な説明】
【技術分野】
【０００１】  本発明は、健康及び壮健状態をモニターするシステムに関し、さらに詳細には、個人の生理学的状態、ライフスタイル及び種々のコンテキストパラメータに関するデータを遠隔場所で収集して蓄積し、かかるデータ及びかかるデータに基づく情報を、好ましくは電子的ネットワークを介してその個人が利用できるようにするシステムに関する。
【背景技術】
【０００２】  社会における健康問題の多くは、全面的または部分的に不健康なライフスタイルにその原因があることが研究により分かっている。この社会では、人は、ますます早いペースで結果指向のライフスタイルを送ることを余儀なくされるが、その結果、食事の習慣が不健康で、ストレスレベルが高く、運動不足となり、睡眠の習慣が不健康で、精神集中しリラックスする時間を見つけるのが不可能となることが多い。このことを自覚して、人間は、より健康なライフスタイルの確立にますます関心を寄せるようになっている。【０００３】  ＨＭＯ（健康維持組織）または同様な組織の形態で実現される伝統的医学は、より健康なライフスタイルに関心のある人々のニーズに応えるための時間またはトレーニング若しくは機構を用意していない。フィットネスプログラム及び運動器具、ダイエットプラン、自助努力の本、代替療法の流行、最も最近ではインターネット上の健康情報ウェブサイトの盛況を含む、これらの人々のニーズを満たすいくつかの試みがある。これらの試みはそれぞれ、個人が自律的に健康になるように努力するのを目標としている。しかしながら、これらの試みは、健康なライフスタイルを求める人々のニーズのほんの一部に照準を定めており、大部分の人がより健康なライフスタイルを確立しようとして直面する現実の障害の多くを無視している。これらの障害には、各個人がモチベーションを発見し、より健康なライフスタイルを達成する計画を樹て、進捗状況をモニターし、問題が生じた場合、ブレインストーミングにより解決法を発見しようとすれば、通常は、彼または彼女自身が独力で行う以外に方法がないという事実；現存のプログラムは、より健康なライフスタイルのある特定の局面だけに限られ、完全なパッケージとして提供されることはまれであるという事実；また、推奨される案が個人の特異な特性または彼の生活環境に焦点を合わせていないことが多いという事実が含まれる。
【発明の概要】
【０００４】
本発明によると、個人の振舞いを変えさせるためのシステムであって、各々が個人の体と接触する関係に配置されると該個人の１またはそれ以上の生理学的パラメータを示すデータを発生する複数のセンサー装置と、個人の１またはそれ以上の生理学的パラメータを示す前記データを各センサー装置から、該センサー装置から離れたところにある中央モニターユニットへ送信する手段と、個人の生活活動データを中央モニターユニットへ提供する手段とより成り、各センサー装置及び中央モニターユニットのうちのいずれかは、個人の１またはそれ以上の生理学的パラメータを示す前記データ及び前記生活活動データのうちの少なくとも１つから導出データを発生するように構成されており、中央モニターユニットは、前記複数のセンサー装置から、各センサー装置に関連する各個人の１またはそれ以上の生理学的パラメータを示す前記データを受信し、各個人の１またはそれ以上の生理学的パラメータを示す前記データ及び前記生活活動データの少なくとも１つから発生させた、各個人が予め設定した１またはそれ以上の目標を達成した度合いに関するフィードバックを受け手に提供し、複数の個人から中央モニターユニットへ送信され、提供された、各個人の１またはそれ以上の生理学的パラメータを示す前記データ及び前記生活活動データと、前記導出データとを蓄積し、総計して、蓄積総計した複数の個人からのデータに基づく出力を前記受け手に提供するように構成されていることを特徴とする個人の振舞いを変えるためのシステムが提供される。
【０００６】  センサー装置は、個人の生理学的特性に応答して信号を発生する１またはそれ以上のセンサーより成る。このセンサー装置はまた、１またはそれ以上のセンサーが発生する信号から１またはそれ以上の生理学的パラメータを示すデータを発生するように構成されている。このプロセッサーは、導出データも発生するように構成されている。別の方法として、導出データを中央モニターユニットにより発生させてもよい。
【０００７】
中央モニターユニットは、１またはそれ以上の生理学的パラメータを示すデータ、導出データ及び／または分析状態データを含む１またはそれ以上のウェブページを発生するように構成されており、中央モニターユニットが発生するウェブページは、インターネットのような電子的ネットワークを介して受け手によりアクセス可能である。別の方法として、１またはそれ以上の生理学的パラメータを示すデータ、導出データ及び／または分析状態データは、メールまたはファクシミリのような物理的形態で受け手に送ってもよい。
【発明の最適実施モード】
【００１２】  一般的に、本発明では、個人の生理学的状態、ライフスタイル及びある特定のコンテキストパラメータに関するデータを収集し、その後でまたはリアルタイムで、そのデータを、好ましくは個人から離れたサイトへ、好ましくはインターネットのような電子的ネットワークを介して送った後、処理して受け手に提示するために蓄積する。本明細書中の用語「コンテキストパラメータ」は、空気の質、音の品質、周囲温度、地球上の位置などを含む（それらに限定されない）個人の環境、周囲及び場所に関するパラメータを意味する。図１を参照して、ユーザーの場所５には、人体の少なくとも一部に近接配置されるセンサー装置１０がある。センサー装置１０は、個人のユーザーが、例えばぴったり体に合うシャツのような衣服の一部またはアームバンドの一部として身に付けるのが好ましい。センサー装置１０は、個人の生理学的特性に応答して信号を発生する１またはそれ以上のセンサーと、マイクロプロセッサーとを有する。本明細書中の用語「近接」は、センサー装置１０のセンサーと個人の体とが、センサーの能力が妨げられないようにある材料またはある距離だけ離隔された状態を意味する。
【００１３】  センサー装置１０は、人間の心拍数、脈搏数、拍動間の変異、ＥＫＧまたはＥＣＧ、呼吸数、皮膚温度、中心部体温、体からの熱流、電気皮膚反応またはＧＳＲ、ＥＭＧ、ＥＥＧ、ＥＯＧ、血圧、体脂肪、水分補給レベル、活動レベル、酸素消費量、グルコースまたは血糖値、体位、筋肉または骨にかかる圧力、紫外線吸収のような人間の種々の生理学的パラメータを示すデータを発生する。ある特定の場合、種々の生理学的パラメータを示すデータは、１またはそれ以上のセンサーが発生する信号それ自体であり、場合によっては、１またはそれ以上のセンサーが発生する信号に基づきマイクロプロセッサーが計算したデータである。種々の生理学的パラメータを示すデータを発生する方法及び使用センサーは公知である。表１は、かかる周知の方法のいくつかの例について、問題のパラメータ、使用方法、使用センサー装置及び発生される信号を示す。表１はまた、そのデータを発生するためにはセンサーが発生する信号にさらに処理を加える必要があるか否かを示す。
【００１４】                                表    １
パラメータ    方法            センサー            信号        さらに処理
を要するか
心拍数        ＥＫＧ          電極２個            直流電圧        Ｙｅｓ
脈搏数        ＢＶＰ          ＬＥＤ及び          抵抗変化        Ｙｅｓ
光センサー
拍動間変異    脈搏数          電極２個            直流電圧        Ｙｅｓ
ＥＫＧ        皮膚表面電位    電極３−１０個      直流電圧        Ｎｏ
呼吸数        胸部体積変化    ひずみ計            抵抗変化        Ｙｅｓ
皮膚温度      表面温度計      サーミスタ          抵抗変化        Ｙｅｓ
中心部体温    食道または      サーミスタ          抵抗変化        Ｙｅｓ
直腸プローブ
熱流          熱流束          サーモパイル        直流電圧        Ｙｅｓ
電気皮膚反応  皮膚コンダクタンス  電極２個        抵抗変化        Ｎｏ
ＥＭＧ        皮膚表面電位    電極３個            直流電圧        Ｎｏ
ＥＥＧ        皮膚表面電位    電極多数            直流電圧        Ｙｅｓ
ＥＯＧ        眼球の動き      薄膜圧電センサー    直流電圧        Ｙｅｓ
血圧          非侵襲性        電子血圧計          抵抗変化        Ｙｅｓ
コロトコフ音
体脂肪        体インピーダンス  動作電極２個      インピーダンス  Ｙｅｓ
変化
毎分Ｇショック  体の動き      加速度計            直流電圧        Ｙｅｓ
の活動                                            容量変化
酸素消費量    酸素摂取        電気化学的センサー  直流電圧変化    Ｙｅｓ
グルコース    非侵襲性        電気化学的センサー  直流電圧変化    Ｙｅｓ
レベル
体位（例えば、                水銀スイッチアレイ  直流電圧変化    Ｙｅｓ
横臥、直立、座位）
筋圧                          薄膜圧電センサー    直流電圧変化    Ｙｅｓ
紫外線吸収                    紫外光セル          直流電圧変化    Ｙｅｓ
表１に掲げたデータの種類は、センサー装置１０が発生可能なデータの種類を例示するものである。他の種類のデータも、本発明の範囲から逸脱することなくセンサー装置１０により発生できることを理解されたい。
【００１５】  センサー装置１０のマイクロプロセッサーは、データを要約し分析するようにプログラム可能である。例えば、マイクロプロセッサーは、１０分のような所定の時間にわたる心拍数または呼吸数の平均値、最小値または最大値を計算するようにプログラム可能である。センサー装置１０は、１またはそれ以上の生理学的パラメータを示すデータに基づき個人の生理学的状態に関する情報を導出することができる。センサー装置１０のマイクロプロセッサー１０は、公知の方法により、１またはそれ以上の生理学的パラメータを示すデータに基づきかかる情報を導出するようにプログラムされている。表２は、導出可能な情報の種類の例と、そのために使用可能なデータの種類の一部を示す。
【００１６】                                  表    ２
導出情報                        使用データ
排卵              皮膚温度、中心部温度、酸素消費量
入眠／覚醒        拍動間変異、心拍数、脈搏数、呼吸数、皮膚温度、
中心部体温、熱流、電気皮膚反応、ＥＭＧ、ＥＥＧ、
ＥＯＧ、血圧、酸素消費量
カロリー消費量    心拍数、脈搏数、呼吸数、熱流、活動、酸素消費量
基礎代謝率        心拍数、脈搏数、呼吸数、熱流、活動、酸素消費量
基礎体温          皮膚温度、中心部体温
活動レベル        心拍数、脈搏数、呼吸数、熱流、活動、酸素消費量
ストレスレベル    拍動間変異、心拍数、脈搏数、呼吸数、皮膚温度、
熱流、電気皮膚反応、ＥＭＧ、ＥＥＧ、血圧、活動、
酸素消費量
弛緩レベル        拍動間変異、心拍数、脈搏数、呼吸数、皮膚温度、
熱流、電気皮膚反応、ＥＭＧ、ＥＥＧ、血圧、活動、
酸素消費量
最大酸素消費率    ＥＭＧ、心拍数、脈搏数、呼吸数、熱流、
血圧、活動、酸素消費量
立ち上がり時間または    心拍数、脈搏数、呼吸数、熱流、酸素消費量
休止率から目標最大値
の８５％まで上昇する
に要する時間
ゾーンにおける時間      心拍数、脈搏数、呼吸数、熱流、酸素消費量
または心拍数が目標
最大値の８５％以上
であった時間
回復時間または心拍数    心拍数、脈搏数、呼吸数、熱流、酸素消費量
が目標最大値の８５％
以上になった後休止率
に戻るに要する時間
【００１７】  さらに、センサー装置１０は、個人を取り巻く環境に関する種々のコンテキストパラメータを示すデータを発生できる。例えば、センサー装置１０は、空気の質、音のレベル／品質、個人の近くの光の質または周囲温度、もしくは個人の地球的位置を示すデータを発生可能である。センサー装置１０は、個人を取り巻く環境に関連するコンテキスト特性に応答して信号を発生する１またはそれ以上のセンサーを備えており、これらの信号は最終的に上述した種類のデータの発生に使用される。かかるセンサーは、空気の質、音のレベル／品質、周囲温度及び地球的位置のようなコンテキストパラメータに関するデータを発生させる方法と同様によく知られている。
【００１８】  図２は、センサー装置１０の一実施例を示すブロック図である。センサー装置１０は、少なくとも１つのセンサー１２と、マイクロプロセッサー２０とを有する。センサー１２が発生する信号の性質に依り、その信号は増幅器１４、コンディショニング回路１６及びアナログ−デジタルコンバーター１８のうちの１またはそれ以上のコンポーネントを介してマイクロプロセッサー２０へ送られる。例えば、センサー１２が増幅及びフィルタリングを必要とするアナログ信号を発生する場合、その信号は増幅器１４へ送られた後、例えばバンドパスフィルターのようなコンディショニング回路１６へ送られる。増幅及びコンディショニング済みのアナログ信号はアナログ−デジタルコンバーター１８へ送られ、そこでデジタル信号へ変換される。デジタル信号はその後、マイクロプロセッサー２０へ送られる。センサー１２がデジタル信号を発生する場合は、その信号を直接マイクロプロセッサー２０へ送ればよい。
【００１９】  マイクロプロセッサー２０は、個人のある特定の生理学的またはコンテキスト特性を表すデジタル信号を用いて、個人ユーザーの生理学的及び／またはコンテキストパラメータを示すデータを計算し、発生する。マイクロプロセッサー２０は、個人の生理学的状態の少なくとも１つの局面に関する情報を導出するようにプログラムされている。マイクロプロセッサー２０はまた、マイクロコントローラーもしくは上述した機能を有するプログラム可能な他の種類のプロセッサーにより構成できることを理解されたい。
【００２０】  本発明の一実施例によると、生理学的及び／またはコンテキストパラメータを使用するデータはフラッシュメモリーのようなメモリー２２へ送られ、そこで、以下に述べる態様でアップロードされるまで保存される。図２はメモリー２２を個別素子として示すが、このメモリーはマイクロプロセッサー２０の一部でもよいことを理解されたい。センサー装置１０はまた、後述する態様である特定のデータ信号を出力すると共に入力として受ける入出力回路２４を有する。従って、時間がたつと、センサー装置１０のメモリー２２には、個人ユーザーの体及び／または環境に関するデータが増加する。そのデータは、図１に示すように、センサー装置１０から、好ましくはローカルネットワークワークまたはインターネットのような地球的規模の電子的ネットワークを介して定期的にアップロードされて遠隔の中央モニターユニット３０へ送られ、そこで、データベースに蓄積された後処理してユーザーに提示される。データのアップロードは、センサー装置１０によるある特定のレベル以下の心拍数の検出のような事象の発生により、または定期的に、センサー装置１０により始動される自動プロセスか、または毎日午後１０時のような、好ましくはある定期的なスケジュールに従って個人ユーザーまたはそのユーザーにより許可された第三者により始動されるものでもよい。あるいは、センサー装置１０は、メモリー２２にデータを蓄積しないでデータをリアルタイムで継続してアップロードしてもよい。
【００２１】  センサー装置１０から中央モニターユニット３０へ保存蓄積のために行うデータのアップロードには、種々の方法がある。一実施例において、センサー装置１０が収集するデータは、最初に図１に示すパソコン３５へ、例えば、ＲＳ２３２またはＵＳＢポートのようなシリアル接続手段である物理的接続手段４０により転送してアップロードされる。この物理的接続は、市販の多くのパーソナルデジタルアシスタントでは普通であるように、センサー装置１０を挿入可能なパソコン３５に電子的に結合されるクレイドル（図示せず）を用いて行ってもよい。データのアップロードは、その後クレイドルのボタンを押して始動するかまたはセンサー装置１０の挿入と同時に自動的に始動することも可能である。センサー装置１０により収集されるデータは、最初に、データを、４５で示す赤外線または無線通信のような短距離無線通信方式によりパソコン３５へ伝送することによりアップロードしてもよい。
【００２２】
そのデータは、パソコン３５が受信すると、オプションとして、良く知られた種々の方法の任意のもので圧縮され、暗号化された後、好ましくはローカルネットワークまたはインターネットのような地球的規模の電子的ネットワークにより中央モニターユニット３０へ送られる。パソコン３５の代わりに、例えばパーソナルデジタルアシスタントのような電子的ネットワークにアクセス可能でそのネットワークに対してデータを送受信できる任意の計算装置を使用できることに注意されたい。
【００２３】  別の方法として、センサー装置１０が収集したデータを暗号化し、オプションとしてマイクロプロセッサー２０により圧縮した後、双方向ペイジャーまたはセルラー電話のような無線装置５０へ送って、電子メールまたはＡＳＣＩＩまたはバイナリーデータとして無線プロトコルを利用してローカル無線通信サイト５５へ長距離無線通信してもよい。ローカル無線通信サイト５５は、無線装置５０からの無線通信信号を受けるタワー６０とタワーに接続されたコンピューター６５とを有する。好ましい実施例によると、コンピューター６５はインターネットのような電子的ネットワークにアクセス可能であり、インターネットを介して中央モニターユニット３０へ送られた無線通信信号の形で受信したデータを送信するために使用される。図１は無線装置５０をセンサー装置１０に結合された個別の装置として示すが、その装置及びそれと同一または類似の機能を有する装置をセンサー装置１０の一部として組み込んでもよい。
【００２４】  センサー装置１０には、就寝時間、起床時間及び食事時間のような事象の時間を記録するためのボタンを備えている。これらの時間記録はセンサー装置１０に保存され、上述したようなデータの残部と共に中央モニターユニット３０ヘアップロードされる。この時間記録はデジタル記録されたボイスメッセージを含むことがあるが、このメッセージは、中央モニターユニット３０へアップロードされた後、音声認識技術を用いて、中央モニターユニット３０が利用可能なテキストまたは他の任意の情報フォーマットへ変換される。
【００２５】  センサー装置１０による個人ユーザーの生理学的データを自動的に収集するだけでなく、例えば、個人の体重を測定するか、個人の手または体の他の部分を載せるセンサー装置１０に類似の感知装置によるか、若しくは、例えばレーザー技術またはｉＳｔ血液分析装置を用いて個人の体を走査することにより、データを収集するように、キオスクを構成することができる。キオスクは上述した処理能力及び関連の電子的ネットワークへのアクセス能力を備え、従って、電子的ネットワークを介して中央モニターユニット３０へ収集したデータを送るように構成されている。個人の手または体の他の部分を載せることができるセンサー装置１０に類似のデスクトップ感知装置を用意してもよい。かかるデスクトップ感知装置の例として、個人の腕を入れる血圧モニターがある。個人が、センサー装置１０を組み込んだリングを身に付けるようにしてもよい。このリングに結合するように構成した基部（図示せず）を設けることができる。上述したデスクトップ感知装置または基部を、物理的または短距離無線接続手段によりパソコン３５のようなコンピューターに結合して、収集したデータが上述した態様で関連の電子的ネットワークにより中央モニターユニット３０へアップロードされるようにしてもよい。例えば、パーソナルデジタルアシスタントのようなモバイル装置に、センサー装置１０を組み込んでもよい。かかるセンサー装置１０は、例えばその装置を手のひらに保持して体に近接配置すると、データを収集し、収集したデータを上述した任意の方法により中央モニターユニット３０へアップロードするように構成することができる。
【００２６】  さらに、個人は、上述した態様でかかるデータを自動的に感知することによりデータを収集するだけでなく、最終的に中央モニターユニット３０へ送られて保存される種々の生活活動に関するデータを、自動的な手段にらずに、提供することが可能である。個人ユーザーは、中央モニターユニット３０により維持されるウェブサイトにアクセス可能であり、テキストを自由に入力するか、ウェブサイトが行う質問に答えるか、またはウェブサイトにより提供されるダイアログボックスをクリックして、生活活動に関する情報を直接入力することが可能である。中央モニターユニット３０は、生活活動に関する情報を集めるように企図された質問を含む電子メールメッセージをパソコン３５またはパーソナルデジタルアシスタント、ペイジャーまたはセルラー電話のような電子メールを受ける他の任意の装置へ定期的に送るように構成することができる。その個人は、関連のデータの入力により適当な電子メールメッセージに応答して、生活活動に関する情報を中央モニターユニット３０へ提供する。中央モニターユニット３０は、個人ユーザーへある特定の質問を行うためにそのユーザーに電話をするようにしてもよい。ユーザーは、電話のキーパッドにより情報を入力するかまたは音声により（この場合、従来の音声認識技術を中央モニターユニット３０が利用して応答を受け処理する）質問に答えることができる。ユーザーが電話をかけることもあるが、この場合、ユーザーは直接人に話しかけるかまたはキーパッドもしくは音声／音声認識技術より情報を入力することが可能である。中央モニターユニット３０は、例えば、自動的に情報を収集できる、ワシントン州レッドモンドのマイクロソフト社のアウトルックに含まれるようなユーザーの電子カレンダーのような、ユーザーにより制御される情報源にアクセスすることができる。生活活動に関するデータは、食事、睡眠、運動、精神集中または弛緩、毎日の生活習慣、パターン及び／または活動に関連するものである。従って、サンプル質問として、今日は昼食に何を食べましたか、昨晩は何時に就寝しましたか、今朝は何時に起床しましたか、今日はトレッドミル上で何時間走りましたか、が含まれる。
【００２７】  ユーザーへのフィードバックは、直接センサー装置１０により、例えばＬＥＤまたはＬＣＤを用いて可視的に行うか、センサー装置１０の少なくとも一部を熱変色性プラスチックで構成するか、音響信号を用いるか若しくは振動のような触覚フィードバックによって行うことができる。かかるフィードバックは、食事をさせるための、ビタミンのような薬またはサプリメントを摂取させるための、運動または瞑想のような活動を行わせるための、もしくは脱水症状が検知された場合に水を飲ませるための合図または警告となりうる。さらに、合図または警告は排卵のような特定の生理学的パラメータが検出された場合、トレーニング時燃焼されるカロリーがあるレベルに達した場合、または心拍数または呼吸数が高いレベルになった場合に発生することができる。
【００２８】  当業者には明らかなように、中央モニターユニット３０からセンサー装置１０へデータをダウンロードすることも可能である。かかるダウンロードプロセスにおけるデータの流れ方向は、センサー装置からのデータのアップロードに関連して上述した流れとは実質的に反対である。従って、センサー装置１０のマイクロプロセッサー２０のファームウェアを遠隔操作により更新または変更する、即ち、新しいファームウェアをそのタイミング及びサンプルレートのようなパラメータについて中央モニターユニット３０からセンサー装置１０へダウンロードすることによりマイクロプロセッサーのプログラムを変更することが可能である。センサー装置１０により提供される合図／警告は、ユーザーが中央モニターユニット３０により維持されるウェブサイトを介して設定した後、センサー装置１０へダウンロードすることが可能である。
【００２９】  図３を参照して、該図は、中央モニターユニット３０の実施例を示すブロック図である。中央モニターユニット３０は、ルーター７５に接続されたＣＳＵ／ＤＳＵ７０を備えているが、ルーターの主要機能は、データリクエストまたは入出トラフィックをチェックし、中央モニターユニット３０により維持されるウェブサイト上で処理し見ることができるように経路選択を行うことである。ルーター７５には、ファイアーウォール８０が接続されている。ファイアーウォール８０の主要目的は、中央モニターユニット３０の残りの部分を権限のないまたは悪意の侵入から保護することである。ファイアーウォール８０に接続されたスイッチ８５は、ミドルウェアサーバー９５ａ乃至９５ｃとデータサーバー１１０との間のデータの流れを制御するために使用される。負荷バランス装置９０は、入来リクエストの仕事負荷を同一構成のミドルウェアサーバー９５ａ乃至９５ｃに振り分けるために設けられている。負荷バランス装置９０（その適当な例として、カリフォルニア州サンホセのファウンドリーネットワークス社のF5 SeverIronがある）は、各ミドルウェアサーバー９５ａ乃至９５ｃの利用可能性及び各ミドルウェアサーバー９５ａ乃至９５ｃにおいて使用されるシステム資源の大きさを分析して、仕事がそれらの間に適切に振り分けられるようにする。
【００３０】
中央モニターユニット３０は、データ中央記憶手段として働く記憶エリアネットワークまたはＳＡＮのようなネットワーク記憶装置１００を有する。さらに詳しく説明すると、ネットワーク記憶装置１００は、上述した態様で各個人ユーザーについて収集する全てのデータを蓄積するデータベースよりなる。適当なネットワーク記憶装置１００の例として、マサチュセッツ州ホプキンスのイーエムシーコーポレイションにより販売されるＳｙｍｍｅｔｒｉｘ製品がある。図３はただ１つのネットワーク記憶装置１００を示すが、中央モニターユニット３０のデータ蓄積ニーズに応じて種々の容量を有する多数のネットワーク記憶装置を使用できることを理解されたい。中央モニターユニット３０は、ネットワーク記憶装置１００に結合されたデータベースサーバー１１０も有する。データベースサーバー１１０は２つの主要な構成要素、即ち、大型のマルチプロセッサーサーバーと、カリフォルニア州レッドウットのオラクルコーポレイションにより販売される８／８ｉまたはワシントン州レッドモンドのマイクロソフト社により販売される５０６７コンポーネントのような企業タイプのソフトウェアサーバーとより成る。データサーバー１１０の主要機能は、リクエストに応じてネットワーク記憶装置１００に蓄積されたデータへアクセスし、ネットワーク記憶装置１００に新しいデータを入力することである。ネットワーク記憶装置１００にはコントローラー１１５が結合されるが、このコントローラーは通常、ネットワーク記憶装置に蓄積されたデータを管理するためのデスクトップ型パソコンより成る。
【００３１】  ミドルウェアサーバー９５ａ乃至９５ｃ（適当な例として、カリフォルニア州パロアルトのマイクロシステムズインコーポレイテッドにより販売される２２ＯＲデュアルプロセッサーがある）は、それぞれ、中央モニターユニット３０により維持されるウェブサイトの会社またはホームウェブページを作成し維持するためのソフトウェアを含んでいる。当該技術分野で知られているように、ウェブページはワールドワイドウェブ上で利用可能なデータのブロックであり、ＨＴＭＬ言語で書かれたファイルより成る。また、ウェブサイトはＷＷＷサーバープロセスを走らせるインターネット上の任意のコンピューターのことである。会社またはホームウェブページは、適当なＵＲＬを用いることによりサイトを訪れる一般大衆の全てにアクセス可能な起点となるウェブページである。当該技術分野でよく知られているＵＲＬはＷＷＷ上で用いるアドレスの形態をとり、インターネット上におけるオブジェクト、通常はウェブページの場所を特定する標準的方法である。ミドルウェアサーバー９５ａ乃至９５ｃはまた、登録して中央モニターユニット３０のメンバーになった個人によってのみアクセス可能な中央モニターユニット３０のウェブサイトのウェブページを作成し維持するソフトウェアを含む。メンバーであるユーザーは、それらのデータを中央モニターユニット３０に蓄積するのを望む個人である。かかるメンバーユーザーは、情報セキュリティーのためにパスワードによりアクセスできる。それらのウェブページの好ましい実施例について以下に説明するが、それらはネットワーク記憶装置１００のデータベースに蓄積される収集したデータを用いて作成される。
【００３２】  ミドルウェアサーバー９５ａ乃至９５ｃはまた、データベースサーバー１１０を介してネットワーク記憶装置１００からのデータのリクエスト及びその装置へのデータの書き込みを行うソフトウェアを含む。個人ユーザーがデータをネットワーク記憶装置のデータベースに書き込み、ネットワーク１００のデータベースに蓄積された自分のデータを見る目的で中央モニターユニット３０によるセッションを開始したい場合、ユーザーは、ワシントン州レッドモンドのマイクロソフト社のインターネットエクスプローラのようなブラウザープログラムを用いて中央モニターユニット３０のウェブページを訪れ、登録済みユーザーとしてログインする。負荷バランス装置９０は、ユーザーを、選択されたミドルウェアサーバーであるミドルウェアサーバー９５ａ乃至９５ｃのうちの１つに割り当てる。ユーザーは、各セッション全体について所定のミドルウェアサーバーを割り当てられるのが望ましい。選択されたミドルウェアサーバーは、よく知られた方法のうちの任意の方法によりユーザー認証を行って、真のユーザーだけがデータベースの情報にアクセスできるようにする。メンバーであるユーザーはまた、ヘルスケアプロバイダーまたは個人的なトレイナーのような第三者に彼または彼女のデータへのアクセス権を与えることができる。アクセス権を付与された第三者にはそれぞれ別個のパスワードが与えられるが、そのパスワードによって従来のブラウザーによりそのメンバーユーザーのデータを見ることができる。従って、ユーザーもその第三者もそのデータの受け手となりうる。
【００３３】  ユーザーが認証を受けると、選択されたミドルウェアサーバーは、データベースサーバー１１０を介して、所定の時間の間、ネットワーク記憶装置１００からその個人ユーザーのデータをリクエストする。所定の時間は３０日であるのが好ましい。リクエストされたデータをネットワーク記憶装置１００から受け取ると、その選択されたミドルウェアサーバーはそのデータをキャッシュメモリー内に一時的に蓄積する。キャッシュされたデータは、再びユーザーのブラウザーを介してそのユーザーへウェブページの形態で情報を提示するために、その選択されたミドルウェアサーバーにより利用される。各ミドルウェアサーバー９５ａ乃至９５ｃは、そのデータを用いて処理及び計算を行うことによりそのデータをユーザーへの提示に好適なフォーマットに変換するためのソフトウェアを含むかかるウェブページ作成のための適当なソフトウェアを備えている。ユーザーがそのセッションを終了すると、データはキャッシュから除去される。ユーザーが新しいセッションを始めると、上述したような、そのユーザーのためにデータを取り出してキャッシュするプロセスが繰り返される。従って、このキャッシュシステムではネットワーク記憶装置１００にセッション毎に１回の電話をかければよいのが理想であり、それによりデータベースサーバー１１０が取り扱う必要のあるトラフィックが減少する。特定セッションの時ユーザーからのリクエストが既に取り出されたキャッシュデータの所定の時間を外れたデータを必要とする場合は、選択されたミドルウェアサーバーがネットワーク記憶装置１００に別の電話をかけるようにすればよい。しかしながら、その別の電話を最小限に抑えるように所定の時間を選択する必要がある。キャッシュデータをキャッシュメモリーに保存して、ユーザーが新しいセッションを始める時に使用できるようにすることにより、ネットワーク記憶装置１００に新しく電話をする必要を無くすことも可能である。
【００３４】  表２に関連して説明したように、センサー装置１０のマイクロプロセッサーは、１またはそれ以上の生理学的パラメータを示すデータに基づき個人の生理学的状態に関する情報を導出するようにプログラムすることができる。中央モニターユニット３０及び好ましくはミドルウェアサーバー９５ａ乃至９５ｃも、１またはそれ以上の生理学的パラメータを示すデータに基づきかかる情報を導出するように同様にプログラムすることができる。
【００３５】  ユーザーが、例えば食事または睡眠の習慣に関する情報のような別の情報をセッションの間入力することが企図されている。この別のデータは、ユーザーのセッションの間選択されたミドルウェアサーバーがキャッシュメモリーに蓄積するのが好ましい。ユーザーがセッションを終了すると、キャッシュメモリーに蓄積されたこの別の新しいデータが、ネットワーク記憶装置１００に蓄積するために選択されたミドルウェアサーバーによりデータベースサーバー１１０へ転送される。あるいは、セッションの間利用する可能性があるため、キャッシュメモリーに蓄積するだけでなく、入力データを当該技術分野でよく知られたライトスルーキャッシュシステムの一部としてネットワーク記憶装置１００に蓄積するために直ちにデータベースサーバー１１０に転送してもよい。
【００３６】  図１に示すように、センサー装置１０により収集されるデータは、中央モニターユニット３０へ定期的にアップロードされる。長距離無線通信によるかまたはパソコン３５を介することにより、好ましくはインターネットである電子的ネットワークを通して中央モニターユニット３０への接続が行われる。詳説すると、負荷バランス装置９０への接続は、ＣＳＵ／ＤＳＵ７０、ルーター７５、ファイアーウォール８０及びスイッチ８５を介して行われる。負荷バランス装置９０はその後、選択されたミドルウェアサーバーと呼ぶ９５ａ乃至９５ｃのうちの１つを選択してデータのアップロードを取り扱う。選択されたミドルウェアサーバーは、よく知られた多くの方法のうちの１つを用いてユーザー認証を行う。認証が成功すれば、データは上述した選択したミドルウェアサーバーへアップロードされ、最終的に、データベースサーバー１１０へ転送されてネットワーク記憶装置１００に蓄積される。
【００３７】  図４を参照して、該図は、中央モニターユニット３０の別の実施例を示す。図４に示す中央モニターユニット３０の実施例は、図３に関連して説明した構成要素だけでなく、ネットワーク記憶装置１００の冗長性のあるバックアップであるミラーネットワーク記憶装置１２０を有する。このミラーネットワーク記憶装置１２０にはコントローラー１２２が結合されている。ネットワーク記憶装置１００からのデータは、データに冗長性を与える目的でミラーネットワーク記憶装置１２０へ定期的にコピーされる。
【００３８】
保険会社または研究所のような第三者には、おそらく料金を支払うことで、ミラーネットワーク記憶装置１２０に蓄積されたある特定の情報に対するアクセス権が与えられることがある。中央モニターユニット３０にデータを供給する個人ユーザーの秘密を保持するために、これら第三者にはかかるユーザーの個人データベース記録に対するアクセス権は与えられず、ミラーネットワーク記憶装置１２０に蓄積された総計データへのアクセス権だけが与えられるようにするのが好ましい。かかる第三者は、従来のブラウザープログラムを用いてインターネットによるミラーネットワーク記憶装置１２０に蓄積された情報にアクセスすることができる。第三者からのリクエストは、ＣＳＵ／ＤＳＵ７０、ルーター７５、ファイアーウォール８０及びスイッチ８５を介して入ってくる。図４に示す実施例では、ミラードライブアレイ１２０からのデータのアクセス及び提示に関する仕事を同一構成のミドルウェアサーバー１３５ａ乃至１３５ｃに振り分けるための別個の負荷バランス装置１３０が設けられている。ミドルウェアサーバー１３５ａ乃至１３５ｃはそれぞれ、第三者がブラウザーにより別個のデータベースサーバー１２５を介してミラーネットワーク記憶装置１２０から情報を得るための照会を行うのを可能にするソフトウェアを含む。ミドルウェアサーバー１３５ａ乃至１３５ｃはまた、ミラーネットワーク記憶装置１２０から得られる情報をネットワークを介してウェブページの形で第三者に提示するためのソフトウェアを含む。さらに、第三者は、種々の人口動態統計的カテゴリーのような主題に従って集められる情報を有する一連のレポートから選択を行うことができる。
【００３９】  当業者には明らかなように、これら第三者にミラーネットワーク記憶装置１２０に蓄積されたバックアップデータに対するアクセス権を与える代わりに、第三者にネットワーク記憶装置１００に蓄積されたデータに対するアクセス権を与えてもよい。また、負荷バランス装置１３０及びミドルウェアサーバー１３５ａ乃至１３５ｃを設ける代わりに、性能は低下するが同じ機能を負荷バランス装置９０及びミドルウェアサーバー９５ａ乃至９５ｃにより提供することが可能である。
【００４０】  個人ユーザーが初めて登録ユーザーまたはメンバーになる時、そのユーザーは詳細な調査に完全に回答する。この調査の目的は、中央モニターユニット３０により推奨される健康なライフスタイルを確立し維持する可能性を最大にするために対処する必要のある各ユーザーの特異な特性／環境を突き止めること；個人ユーザーの最初の目標を設定して健康指数のようなある特定のグラフィックデータ出力の計算及び表示を容易にするために使用するベースラインデータを収集すること；ヘルスマネジャーの日課としてユーザーに提供されるコンテンツの種類を中央モニターユニット３０が特別に選択するのを支援する特異なユーザー特性及び環境を明らかにすること；ヘルスマネジャーの問題解決機能により健康なライフスタイルに対する障害としてヘルスマネジャーの支援によりユーザーが対処することができる特異なユーザー特性及び環境を突き止めることである。
【００４１】  調査すべき特定の情報としては、活動レベル、食事、睡眠及び排便習慣の規則性、状況に対する最初の応答、適応性、持続性、応答性のしきい値、反応の強さ及び気分の性質を含む個人の重要な性格；ユーザーの自主独立レベル、即ち、自立形成及び自己管理、社交性、記憶力及び学問的成就能力；ユーザーの覚醒レベル、認知速度、注意力疎外要因の回避能力、覚醒状態及び自己監督能力を含むユーザーの注意力及び注意持続能力；現在の体重、身長及び血圧を含むユーザーの現在の健康状態、一般開業医による最も最近の診察、婦人科の診察及び他の適用される医者／健康管理者との接触、現在服用中の薬剤及びサプリメント、アレルギー歴及び現在の症状及び／または健康に関連する挙動の所見；ユーザーの過去の健康歴、即ち、病気／手術、家族歴及び個人による調整を必要とした、離婚または失業のような社会的事象；ユーザーの健康優先度に関する所信、価値感及び意見、振舞いを変える能力、及び生活のストレス原因と考えられるもの及びストレス管理方法；ユーザーの自己意識度、感情移入、権限委譲及び自尊心、ユーザーの食事、運動、睡眠、弛緩及び毎日の活動の現在のルーチン；ユーザーの生活における２つの重要な人物（例えば、配偶者、友人、同僚または上司の性格及びそれらとの関係において健康なライフスタイルを阻害するまたはストレスに寄与する衝突が存在するか否かについてのユーザーの受け止め方が含まれる。
【００４２】  各メンバーユーザーは、中央モニターユニット３０のホームウェブページを介して、ヘルスマネジャーと呼ぶそのユーザーのために特別に構成された一連のウェブページにアクセスする。図５は、ヘルスマネジャーの起点となるウェブページ１５０を示す。ヘルスマネジャーのウェブページは、そのメンバーユーザーの主要な操作エリアである。ヘルスマネジャーのウェブページはユーティリティーを備えており、中央モニターユニット３０はこのユーティリティーを介して分析状態データと普通呼ぶ多種多様な種類及び形態のデータをユーザーへ提供する。このデータは、中央モニターユニット３０が収集するか発生させるデータ、即ち、センサー装置１０が発生する種々の生理学的パラメータを示すデータ；種々の生理学的パラメータを示すデータから導出されるデータ；センサー装置１０により発生される種々のコンテキストパラメータを示すデータ及びユーザーが入力するデータのうちの１つまたはそれ以上である。分析状態データは、センサー装置１０が発生する種々の生理学的パラメータを示すデータ、種々の生理学的パラメータから導出されるデータ、センサー装置１０が発生する種々のコンテキストパラメータを示すデータ及びユーザーが入力するデータのうちの１つまたはそれ以上を、計算により求める健康度、壮健度及びライフスタイル指数に変換するために、ある特定のユーティリティーまたはアルゴリズムを利用する点に特徴がある。例えば、摂取した食料に関連してユーザーが入力するデータに基づきカロリー、たんぱく質、脂肪、炭水化物及びある特定のビタミンの量のようなものを計算することができる。別の例として、皮膚温度、心拍数、呼吸数、熱流及び／またはＧＳＲを用いるととにより、所望の時間にわたるストレスレベルの指数をユーザーに提供することができる。さらに別の例として、皮膚温度、熱流、拍動間変異、心拍数、脈搏、呼吸数、中心部体温、電気皮膚反応、ＥＭＧ、ＥＥＧ、ＥＯＧ、血圧、酸素消費量、周囲の音及び加速度計のような装置で検出される体の動きを用いることにより、所望の時間にわたる睡眠パターンの指数をユーザーに提供することができる。
【００４３】  ヘルスマネジャーの起点となるウェブページ１５０には、健康指標１５５がある。この健康指標１５５は、ユーザーの成績及び中央モニターユニット３０により推奨される健康な日課を達成した度合いを測定し、それらをメンバーユーザーにフィードバックするためのグラフィックなユーティリティーである。このように、健康指標１５５は、メンバーユーザーに対して彼らの進捗状況を示す。健康指標１５５はユーザーの健康及びライフスタイルに関する６つのカテゴリー、即ち、栄養、活動レベル、精神集中、睡眠、毎日の活動及び感想を含む。栄養カテゴリーは、その人が何を、いつ、そしてどのくらい食べて飲むかに関わる。活動レベルのカテゴリーは、その人がどのくらい動き回るかに関する。精神集中のカテゴリーは、精神が高度に集中した状態で体の深い弛緩状態を可能にするある種の活動の品質及び人間がその活動に集中する時間に関する。睡眠のカテゴリーは、人間の睡眠の質及び量に関する。毎日の活動のカテゴリーは、毎日行わなければならないこと及び人間が遭遇する健康リスクに関する。最後に感想のカテゴリーは、ある特定の日について気分がよいか否かの一般的な受け止め方に関する。各カテゴリーには、好ましくは、「悪い」から「良い」の間で変化するスケールで、ユーザーがそのカテゴリーに関してどのような実績をあげたかを示す関連のレベルまたは棒グラフがある。
【００４４】  各メンバーユーザーが上述した最初の調査を終了すると、ユーザーに対して彼または彼女の特性及び生活環境の要約を提供するプロフィールが作成される。推奨の健康的な日課より成る計画及び／または目標が提示される。推奨の健康的な日課には、適当な栄養、運動、精神集中及びユーザーの生活の毎日の所定の活動に関する特定のアドバイスの任意の組み合わせが含まれる。これら推奨される活動をユーザーの生活に如何に取り込むかのガイドとして、典型的なスケジュールを提示してもよい。ユーザーはその調査を定期的に受け、その結果に基づき、上述したような項目をそれに応じて調整する。
【００４５】  栄養のカテゴリーは、ユーザーが入力するデータと、センサー装置１０が感知するデータとの両方から計算される。ユーザーが入力するデータには、朝食、昼食、夕食及び任意のおやつの時間及び長さ、食料、ビタミンのようなサプリメント及び関連の予め選択した時間の間に飲む水及び他の液体が含まれる。このデータ及び種々の食料の公知の特性に関する蓄積されたデータに基づき、中央モニターユニット３０は、消費カロリー、たんぱく質、脂肪、炭水化物、ビタミンなどの量のようなよく知られた栄養学的食物値を計算する。
【００４６】  健康指標の栄養を示す棒グラフは、推奨される以下の健康的な日課、即ち、少なくとも３回の食事を摂る；パン、パスタ、シリアル、米が６−１１部、フルーツが２−４部、野菜が３−５部、魚、肉、鶏肉、乾燥豆、卵及びナッツが２−３部、ミルク、ヨーグルト、チーズが２−３部より成る多様な食事を摂り、８オンスまたはそれ以上の水を飲む日課について決定するのが好ましい。この日課は、性別、年齢、身長／体重のようなユーザーに関する情報に基づき調整することができる。毎日摂取するカロリー、たんぱく質、繊維、脂肪、炭水化物または水及び全体の摂取量に対する割合に関するある特定の栄養の目標をユーザーがまたはユーザーに代わって設定してもよい。棒グラフの計算に用いるパラメータには、１日の食事回数、水の消費量、毎日食べる食物の種類及び量をユーザーが入力したものが含まれる。
【００４７】  栄養学的情報は、図６に示すような栄養ウェブページ１６０によりユーザーに提示される。好ましい栄養ウェブページ１６０は、栄養の実際及び目標となる数値をそれぞれ円グラフで示す栄養数値チャート１６５、１７０と、実際の栄養摂取総量及び目標となる栄養摂取総量をそれぞれ円形グラフで示す栄養摂取チャート１７５、１８０を含む。栄養数値チャート１６５、１７０は炭水化物、たんぱく質及び脂肪のような項目を百分比で示すのが好ましく、栄養摂取チャート１７５、１８０はカロリーの合計値及び目標値を、脂肪、炭水化物、たんぱく質及びビタミンのような成分で分けて示すのが好ましい。ウェブページ１６０は、食物及び水の消費を時間で示す履歴１８５、ユーザーが栄養に関連するニュース記事、栄養に関する日課を改善するためのアドバイス及びネットワーク上のどこかの関連の広告を直接チェックできるようにするハイパーリンク１９０、及び可変期間を示す図と選択可能期間を示す図との間で選択可能なカレンダー１９５も含む。１９０で示す項目は、調査により個人について知り得た情報及び健康指標により測定された個人の成績に基づいて特別に選択することができる。
【００４８】  健康指標１５５の活動レベルのカテゴリーは、その日にユーザーがどのように、またいつ動き回るかについてユーザーがチェックするのを支援するように設計されており、ユーザーが入力するデータとセンサー装置１０が感知するデータとの両方を利用する。ユーザーが入力するデータには、例えば、ユーザーが午前８時から午後５時まで机に向かって仕事をした後、午後６時から午後７時までエアロビクスのクラスをとるという事実のようなユーザーの毎日の活動に関する詳細事項が含まれる。センサー装置１０により感知される関連のデータには、心拍数、加速度計のような装置により感知される運動、熱流、呼吸数、消費カロリー量、ＧＳＲ及び水分補給レベルが含まれ、これらはセンサー装置６０または中央モニターユニット３０により取り出すことができる。消費カロリー量は、ユーザーが入力する運動の種類とユーザーが入力する運動の持続時間との掛け算、感知する運動と運動の時間及びフィルター定数の掛け算または感知される熱流と時間とフィルター定数との掛け算のような種々の方法で計算することができる。
【００４９】  健康指標の活動レベルの棒グラフは、好ましくは２０分である所定の期間のエアロビクス運動、または好ましくは１時間である所定の期間の精力的なライフスタイル活動及びエアロビクス及び／または精力的なライフスタイル活動による好ましくは少なくとも最小目標カロリー（２０５カロリー）の燃焼を含む推奨される健康な日課に関して決定するのが好ましい。最小目標カロリーは、ユーザーの性別、年齢、身長及び／または体重のような情報に基づき設定可能である。関連の棒グラフの計算に用いるパラメータには、エアロビクス運動または精力的なライフスタイル活動に費やす時間であって、ユーザーが入力したものそして／またはセンサー装置１０が感知したもの、及び予め計算したエネルギー消費パラメータ以上に燃焼したカロリー数が含まれる。
【００５０】  個人ユーザーの動きに関する情報は、図７に示す活動レベルウェブページ２００によりユーザーに提示されるが、このウェブページは、ユーザーの活動を３つのカテゴリー、即ち、所定の単位時間に関して「高」、「中」、「低」でモニターする棒グラフの形をした活動度グラフ２０５を含む。円グラフの形の活動百分比チャートも、ユーザーが各カテゴリーで費やした１日のような所定の期間の百分比を示すために提示することができる。活動レベルウェブページ２００はまた、燃焼カロリー総量、毎日の燃焼カロリー目標値、カロリー摂取合計値及びエアロビクス運動時間のような項目を表示するためのカロリー部分２１５を含む。最後に、活動レベルウェブ２００は、ユーザーが、関連のニュース記事、活動レベルに関する日課を改善するためのアドバイス及びネットワーク上の関連広告を直接チェックできるようにする少なくとも１つのハイパーリンク２２０を含む。活動レベルのウェブページ２００は種々のフォーマットで見ることができるが、棒グラフ、円グラフ及びその両方のようなユーザーが選択可能なグラフまたはチャートは、活動レベルチェックボックス２２５により選択可能である。活動レベルカレンダー２３０は、可変期間の図と選択可能期間の図との間で選択できるようにするために提供される。２２０に示す項目は、調査によりその個人から抽出した情報及び健康指標により測定される彼らの成績に基づき特別の選択することができる。
【００５１】  健康指標１５５の精神集中カテゴリーは、ユーザーが、精神を集中しながら深い弛緩状態に体が到達できるようにする、ある特定の活動を行う時間に関するパラメータをモニターするのを支援するように設計されており、ユーザーが入力するデータとセンサー装置１０が感知するデータとの両方に基づくものである。詳説すると、ユーザーはヨガまたは瞑想のような弛緩活動の開始時間及び終了時間を入力することができる。精神集中の深さにより決まるこれらの活動の品質は、センサー装置１０により感知される皮膚温度、心拍数、呼吸数及び熱流を含むパラメータをモニターすることにより測定可能である。センサー装置１０または中央モニターユニット３０の何れかにより得られるＧＳＲの百分比変化を利用することもできる。
【００５２】  健康指標の精神集中の棒グラフは、少なくとも１５分の間、精神を高度に集中した状態にしながら体を深く弛緩させる活動への毎日の参加を含む推奨の健康な日課に関連して計算するのが好ましい。関連の棒グラフの計算に使用するパラメータには、精神集中活動に費やす時間の長さ及び精神集中活動の深さまたは品質を示すベースラインからの、センサー装置１０により感知される皮膚温度、心拍数、呼吸数、熱流またはＧＳＲの百分比変化が含まれる。
【００５３】  内省及び弛緩に費やす時間に関する情報は、図８に示す精神集中ウェブページ２５０によりユーザーに提示される。セッションと呼ぶ精神集中活動について、好ましい精神集中ウェブページ２５０は、２５５で示すセッションに費やした時間、２６０で示す目標時間、精神集中の深さの目標値及び実際の値を示す比較部分２６５、及び皮膚温度、心拍数、呼吸数、熱流及び／またはＧＳＲのようなものから導出される全体的なストレスレベルを示すヒストグラム２７０を含む。比較部分２６５では、目標となる精神集中状態を示す人間の輪郭は実線であり、実際の精神集中状態を示す人間の輪郭は、精神集中のレベルに応じてぼやけた状態と実線の間で変化する。好ましい精神集中ウェブページはまた、２７５で示す精神集中活動に費やした時間の合計、ユーザーが関連のニュース記事を直接チェックできるようにするハイパーリンク２８０、精神集中に関する日課の改善に関するアドバイス及び関連の広告と、可変期間と選択可能期間との間での選択を可能にするカレンダー２８５とを含む。２８０で示す項目は、調査により個人から知り得た情報及び健康指標により測定される彼らの成績に基づき特別に選択することができる。
【００５４】  健康指標１５５の睡眠カテゴリーは、ユーザーが睡眠パターン及び睡眠の質をモニターするのを支援するように設計されている。このカテゴリーは、ユーザーが健康なライフスタイルにおける睡眠の重要性と、体の機能の毎日の通常の変化である日周期に対する睡眠の関係とについて学習するのを助けるように意図されている。睡眠のカテゴリーは、ユーザーが入力するデータとセンサー装置１０が感知するデータとの両方に基づくものである。関連の各時間インターバルの間にユーザーが入力するデータには、ユーザーの入眠時間と起床時間及び睡眠の質のランクが含まれる。表２に示すように、センサー装置１０から得られる関連性のあるデータには、皮膚温度、熱流、拍動間変異、心拍数、脈搏数、呼吸数、中心部体温、電気皮膚反応、ＥＭＧ、ＥＥＧ、ＥＯＧ、血圧及び酸素消費量が含まれる。また、周囲の音及び加速度計のような装置により検知される体の動きも関連性を有する。その後、このデータを用いて、入眠時間及び起床時間、睡眠中断及び睡眠の質及び深さを計算するか導出できる。
【００５５】  健康指標の棒グラフは、毎晩好ましくは８時間の最小睡眠時間の確保及び予測可能な就寝及び起床時間を含む健康な日課について決定される。この棒グラフの計算を可能にする特定のパラメータには、センサー装置１０により感知されるかユーザーが入力する毎日の睡眠時間及び起床時間と、ユーザーが等級をつけるかまたは他のデータから導出される睡眠の質が含まれる。
【００５６】  睡眠に関する情報は、図９に示す睡眠ウェブページ２９０によりユーザーに提示される。睡眠ウェブページ２９０は、センサー装置１０からのデータまたはユーザーが入力するデータの何れかに基づく睡眠時間表示２９５と、ユーザーの就寝時間３００及び起床時間表示３０５を含む。ユーザーにより入力される睡眠の質のランク３１０を利用し、これを表示することも可能である。１日の時間インターバルを超える表示を睡眠ウェブページ２９０において行う場合、睡眠時間表示２９５は累計値として表示し、就寝時間表示３００、起床時間表示３０５及び睡眠の質ランク３１０は平均値として計算し、表示する。睡眠ウェブページ２９０はまた、所定の時間インターバルにわたって１つの睡眠関連パラメータを計算し表示するユーザーにより選択可能な睡眠グラフ３１５も含む。図９は１日の期間にわたる熱流を示すが、この熱流は睡眠中は低く、起きている時は高くなる傾向がある。この情報から、その人のバイオリズムを得ることが可能である。睡眠グラフ３１５はまた、体の動きをモニターするセンサー装置１０に組み込んだ加速度計からのデータをグラフ表示する。睡眠ウェブページ２９０はまた、ユーザーが睡眠に関連するニュース記事、睡眠に関する日課を改善するためのアドバイス及びネットワーク上にある関連の広告を直接チェックできるようにするハイパーリンク３２０と、関連の時間インターバルを選択するための睡眠カレンダー３２５とを含むことができる。３２０で示す項目は、調査において個人から知り得た情報及び健康指標により測定される成績に基づき特別に選択することができる。
【００５７】  健康指標１５５の毎日の生活の活動カテゴリーは、健康及び安全に関連するある特定の活動及びリスクをユーザーがモニターするのを支援するように設計されており、すべてユーザーにより入力されるデータに基づくものである。毎日の生活の活動に関するカテゴリーは、下位概念の４つのカテゴリー、即ち、歯ブラシまたはフロスを用いる歯の手入れ及びシャワーを浴びるような活動をユーザーがモニターするのを可能にする個人的衛生；ユーザーが処方箋通りの薬またはサプリメントを飲んでいるか否かを追跡し、煙草またはアルコールの消費量並びにシートベルトの使用のような自動車の安全性をユーザーがモニターするのを可能にする健康維持；家族または友人と共に過ごす時間、レジャー及び精神集中活動をユーザーがモニターするのを可能にする個人的時間；及び請求書の支払い及び家庭の雑用のようなある特定の仕事及び家計活動をユーザーがモニターするのを可能にする責任に分けられる。
【００５８】  健康指標の中の毎日の生活の活動に関する棒グラフは、以下に述べる健康的な日課について決定するのが好ましい。個人の衛生に関する日課は、ユーザーが毎日シャワーを浴びるか入浴し、毎日ブラシとフロスを用いて歯を清潔に保ち、規則的な便通を維持するのを必要とする。健康維持に関する日課は、ユーザーが薬、ビタミン及び／またはサプリメントを飲み、シートベルトを使用し、禁煙し、節酒し、健康マネジャーにより毎日、健康をモニターするのを必要とする。個人的時間に関する日課は、ユーザーが毎日少なくとも１時間家族及び／または友人と良質な時間を過ごし、仕事時間を最大９時間に制限し、毎日レジャーまたは遊びに一部の時間を費やし、頭を使う活動を行うのを必要とする。責任に関する日課は、ユーザーが家の雑事を行い、請求書の支払いをし、仕事に遅れず、約束を守るのを必要とする。棒グラフは、ユーザーが入力する情報により決定される、ユーザーが毎日リストされた活動を完了する度合いに基づき計算される。
【００５９】  これらの活動に関する情報は、図１０に示す毎日の活動ウェブページ３３０によりユーザーに提示される。好ましい毎日の活動ウェブページ３３０において、下位概念のうちの１つまたはそれ以上につき選択可能な活動チャート３３５は、ユーザーがその日課により必要とされることを実行したか否かを示す。色または影がついたボックスはユーザーが必要とされる活動を実行したことを示し、また、色または影のないボックスはユーザーがその活動を実行していないことを示す。活動チャート３３５は、選択可能な時間インターバルにおいて作成し、見ることが可能である。説明の目的で、図１０は、特定の週における個人的衛生及び個人的時間のカテゴリーを示す。さらに、毎日の活動ウェブページ３３０は、ユーザーが関連のあるニュース記事、毎日の生活の活動に関する日課を改善するためのアドバイス及び関連の広告を直接チェックするのを可能にする毎日の活動ハイパーリンク３４０と、関連の時間インターバルを選択するための毎日の活動のカレンダー３４５とを含むことができる。３４０に示す項目は、調査において個人から知り得た情報及び健康指標により決定される彼らの成績に基づき特別に選択することができる。
【００６０】  健康指標１５５の元気度カテゴリーは、特定の日に元気であったか否かの認識をユーザーがモニターするのを可能にするように設計され、ユーザーが直接入力する本質的に主観的な等級である情報に基づくものである。ユーザーは、以下の９つの領域、即ち、精神的鋭敏さ、精神的及び心理的幸福度、エネルギーレベル、人生のストレスへの対処能力、対面を重んじる度合い、物理的幸福度、自己抑制、動機及び他人との関係による慰め、に関して、好ましくは１から５までのスケールを用いてランク付けを行う。これらの度合いを平均して、関連の棒グラフの計算に使用する。
【００６１】  図１１は、健康度のウェブページ３５０を示す。健康度のウェブページ３５０は、連続または不連続の任意の日にちを含むユーザーが選択可能な時間インターバルにわたる健康度をユーザーがチェックするのを可能にする。健康度のセレクタボタン３６０を用いることにより、ユーザーは、１つのカテゴリーについて健康度の棒グラフをチェックする選択を行うか、または２またはそれ以上のカテゴリーについて健康度の棒グラフを並べて比較することができる。例えば、ユーザーは、彼らが好む株の成績を見るのと丁度同じように、前月に総合的な睡眠の等級が改善されたか否かをチェックするために、睡眠の棒グラフだけを作動状態にしたい場合がある。あるいは、睡眠と活動レベルとを同時に表示することにより、睡眠の等級とそれに対応する活動レベルの等級とを比較評価して、それぞれの日にちの間に何らかの相関関係が存在するか否かをチェックする場合がある。所定の時間インターバルについて栄養の等級と健康度の等級とを表示して、毎日の食事習慣とそのインターバルの間の食事習慣と健康度との間に何らかの相関関係が存在するか否かをチェックする場合がある。説明の目的で、図１１は、６月１０日から６月１６日の週の睡眠と活動レベルの棒グラフによる比較を示す。健康度ウェブページ３５０はまた、ユーザーがログインしてヘルスマネジャーを利用した日数の合計、ユーザーが入会以来ヘルスマネジャーを利用した日にちの割合及びユーザーがデータを収集するためにセンサー装置１０を利用した時間の割合のようなアクセス情報及び統計を表示する追跡計算器３６５も含む。
【００６２】  図５を参照して、ヘルスマネジャーの起点となるウェブページ１５０は、それぞれが健康度１５５のカテゴリーに対応するユーザーにより選択可能な複数のカテゴリーの要約１５６ａ乃至１５６ｆを含む。各カテゴリーの要約１５６ａ乃至１５６ｆは、対応するカテゴリーに関して予め選択しフィルターをかけたデータの副集合を提示する。栄養カテゴリーの要約１５６ａは、カロリー摂取量の毎日の目標値と実際値とを示す。活動レベルカテゴリーの要約１５６ｂは、燃焼カロリー量の毎日の目標値と実際値とを示す。精神集中の要約１５６ｃは、精神集中の深さの目標値及び実際値を示す。睡眠カテゴリーの要約１５６ｂは、目標の睡眠時間、実際の睡眠時間及び睡眠の質の等級を示す。毎日の活動カテゴリーの１５６ｂは、推奨される毎日の活動に対する完了した活動の割合に基づく目標点数及び実際点数を表示する。元気度のカテゴリーの要約１５６ｆは、その日の健康度の目標及び実際の等級を示す。
【００６３】
ヘルスマネジャーの起点となるウェブページ１５０はまた、ニュース記事へのハイパーリンク、最初の調査によりチェックされる栄養不良のような傾向に基づくユーザーへのコメント及び合図を含む（それらに限定されない）情報を毎日ユーザーに提供する毎日の日課部分１５７を含むことがある。毎日の日課部分１５７のコメントとしては、例えば、毎日水をコップ８杯飲むとすい臓ガンの危険性を３２％も減らすことができるという記述に付随した、仕事中はあなたのコンピューターのそばまたは机の上に水の入ったコップを置いておいて随時水分を補給しなさいというアドバイスがある。ヘルスマネジャーの起点となるウェブページ１５０はまた、健康度１５５の各カテゴリーにおけるユーザーの成績を積極的に評価して改善のためのアドバイスを提示する問題解決セクション１５８を含む。例えば、システムによりユーザーの睡眠レベルが「低」で、ユーザーが不眠症であること
を示唆する場合、問題解決セクション１５８は睡眠を改善するための方法をアドバイスすることができる。問題解決セクション１５８はまた、成績の改善に関するユーザーの質問を含むことができる。ヘルスマネジャーの起点となるウェブページ１５０はまた、入力ダイアログボックスを立ち上げる毎日のデータセクション１５９を含む。入力ダイアログボックスにより、ユーザーはヘルスマネジャーにより必要とされる種々のデータの入力を容易に行うことができる。当該技術分野において知られているように、データの入力は予め提示されたリストまたは普通の自由テキスト形式の入力かの選択が可能である。最後にヘルスマネジャーの起点となるウェブページ１５０は、ユーザーの身長、体重、体の測定値、ＢＭＩ及び心拍数、血圧または任意の生理学的パラメータのような生命兆候に関する情報を与える体の状態セクション１６１を含むことができる。
【００６４】  本願明細書中の用語及び表現は説明のためであって限定のためではなく、かかる用語及び表現を使用には本願に示す特徴の均等物を除外する意図はなく、種々の変形例及び設計変更が頭書の特許請求の範囲内で可能であることを認識されたい。本発明の特定の実施例を詳細な説明の項で述べたが、本発明は図示説明した実施例だけに限定されるものでなく、多数の変形例及び設計変更が可能であることを理解されたい。
【図面の簡単な説明】
【図１】  図１は、本発明に従って電子的ネットワークにより生理学的データ及びライフスタイルをモニターするシステムの実施例を示す。
【図２】  図２は、図１のセンサー装置の一実施例を示すブロック図である。
【図３】  図３は、図１の中央モニターユニットの一実施例を示すブロック図である。
【図４】  図４は、図１の中央モニターユニットの別の実施例を示すブロック図である。
【図５】  図５は、本発明の一局面であるヘルスマネジャーのウェブページの好ましい実施例を示す。
【図６】  図６は、本発明の一局面である栄養ウェブページの好ましい実施例を示す。
【図７】  図７は、本発明の一局面である活動レベルウェブページの好ましい実施例を示す。
【図８】  図８は、本発明の一局面である精神集中ウェブページの好ましい実施例を示す。
【図９】  図９は、本発明の一局面である睡眠ウェブページの好ましい実施例を示す
【図１０】  図１０は、本発明の一局面である毎日の生活ウェブページの好ましい実施例を示す。
【図１１】  図１１は、本発明の一局面である健康度ウェブページの好ましい実施例を示す。
【図１】
0005273893.tif 000002
【図２】
0005273893.tif 000003
【図３】
0005273893.tif 000004
【図４】
0005273893.tif 000005
【図５】
0005273893.tif 000006
【図６】
0005273893.tif 000007
【図７】
0005273893.tif 000008
【図８】
0005273893.tif 000009
【図９】
0005273893.tif 000010
【図１０】
0005273893.tif 000011
【図１１】
0005273893.tif 000012